(57)【要約】【課題】小さな動力で天板の位置を上下に移動できるテーブルの提供。【解決手段】台脚２とその上端に天板３を備えたテーブル１であって、台脚２を上台５と下台４とで構成する。そして、上台５を下台４に対して傾斜面８に沿ってスライド移動と移動後の位置固定が可能な構造とする。下台４と上台５間に電動アクチュエータ２４を取付け、下台４に対して上台５を傾斜面８に沿って移動させる。【選択図】図８
2019195415.tif 000002
【特許請求の範囲】
【請求項１】
台脚とその上端に水平に配置される天板を備えたテーブルであって、
台脚は上台と下台とからなり、
上台は下台に対して傾斜面に沿ってスライド移動と移動後の位置固定が可能とされ、
上台に天板が取り付けられている
ことを特徴としたテーブル。
【請求項２】
下台と上台間に、下台に対して上台を傾斜面に沿って移動し、停止位置を維持できるアクチュエータが取付けられていることを特徴とした請求項１に記載のテーブル。
【請求項３】
傾斜面は天板の前後方向で一方が高く他方が低いことを特徴とした請求項１または２に記載のテーブル。
【請求項４】
傾斜面は水平面に対して約５０°〜６０°の傾斜であり、テーブルの前後方向水平移動量が１１０mmであることを特徴とした請求項３に記載のテーブル。
【発明の詳細な説明】
【技術分野】
【０００１】
この発明は、天板の高さを調整できるテーブルに関する。
【背景技術】
【０００２】
天板の高さを調整できるテーブルや机は公知であり、その上下調整機構はＸ形や菱形に組んだ脚の開閉角度を変えることで高さを調整するパンタグラフタイプ(特許文献１)や上下に間隔を取って配置した調整孔にピンを差し込むピンタイプ（特許文献２）、あるいは送りネジや流体圧アクチュエータで高さを変えるアクチュエータタイプ（特許文献３、４）がある。
【先行技術文献】
【特許文献】
【０００３】
【特許文献１】実開平０５−５３５２８号公報
【特許文献２】実用新案登録第３１８８８５５号公報
【特許文献３】特開２００２−３４５５６４号公報
【特許文献４】特開２０１６−２０２８８３号公報
【発明の概要】
【発明が解決しようとする課題】
【０００４】
パンタグラフタイプの上下調整機構は、アームをＸ形やひし形に組み付けるリンク機構のピン（交点箇所）に荷重が集中するのと、アームが斜行するのでアームに曲げモーメントを受け易く、天板の重いテーブルではアームが太く、ごつい感じのものになってしまう。ピンタイプでは高さを調整する際に天板側を一時的に保持する必要があり、天板の重いタイプには採用し難い。この点、アクチュエータタイプでは、上下機構が動力で駆動されるので、使用者がテーブルを簡単に上下調節することができる。しかし、この場合にテーブルの移動方向は、ほとんどが垂直方向で天板の荷重を直接受けながら押し上げる構造であるため、比較的大きな動力機構を要する。
この発明は小さな動力で天板の位置を上下に移動できるテーブルの提供を課題とする。
【課題を解決するための手段】
【０００５】
台脚とその上端に水平に配置される天板を備えたテーブルとする。
台脚を上台と下台とで構成する。
上台は下台に対して傾斜面に沿ってスライド移動と移動後の位置固定が可能な構造とする。
そして、上台に天板を取り付ける。
下台と上台間にアクチュエータを取付け、下台に対して上台を傾斜面に沿って移動させるのにアクチュエータを用いることがある。アクチュエータは、下台に対する上台の停止位置を維持できるものとすることがある。
傾斜面は天板の前後方向で一方が高く他方が低いものとすることがある。
【０００６】
〔方向について〕
この明細書において、天板の前後方向とは、天板を長方形と仮定した場合に、長方形の対向した長辺間の方向である。
天板の平面形状は長方形に限らないが、平面視における前後左右を明確にするために長方形を仮定する。
天板の前後位置に人が対面して座することが多い。言い換えると、人が座する側が天板の前方、その対面側が後方である。
【発明の効果】
【０００７】
この発明のテーブルは天板を取り付けた上台が下台に対して傾斜面に沿って移動するので、天板の荷重は大半が下台の傾斜面に支持され、天板の上下位置調節を軽く、かつ、微調整を行い易い。
また、上台は下台に対して傾斜面に沿って移動するので、天板の移動は上下とともに前後方向にも移動する。この特徴を利用して、テーブルの前端あるいは後端といすあるいはソファーとの間隔が狭い場合に、天板を前方又は後方に移動させて人の移動を容易にすることができる。
テーブルを子供が利用する場合、天板を下げると同時にテーブルの前端を子供に近づけて使い勝手を改善できる。
【図面の簡単な説明】
【０００８】
【図１】この発明によるテーブルの全体を示した斜視図。
【図２】台脚を分解して示す斜視図。
【図３】スライド機構を分解して示す斜視図。
【図４】台脚にスライド機構を取付けた状態を示した概略図。
【図５】スライド機構の取付け状態を（一部）示す斜視図。
【図６】レール受けと縦面レール及び横面レールの取付け状態を示した断面による正面図。
【図７】テーブルの平面図（一部を透し）。
【図８】概略で示すテーブルの側面図、〔イ〕は高さ調整前、〔ロ〕は調整後の状態を示している。
【発明を実施するための形態】
【０００９】
以下、本発明の実施例を図面に基づいて詳細に説明する。
テーブル１（図１）は、台脚２とその上端に水平に配置される天板３を備える。
〔台脚〕
台脚２は下台４と上台５とからなる。
下台４（図２）は、この実施例において基板６上に前後左右の壁７ａ〜７ｄを立設したボックス形であり、上端面が傾斜面８を構成するように左右の壁７ｃ、７ｄが同じ方向に斜めに切断されている。傾斜面８は水平面に対して前方が高く、後方が低く、６０°の角度である。
【００１０】
上台５は、天板３の下面側において垂下した状態となる前後左右の壁９ａ〜９ｄを有し、この実施例では下面に底板９ｅを有するボックス形である。左右の壁９ｃ、９ｄは前記の傾斜面８に沿って同じ方向に斜めに切断されており、前記底板９ｅの下面が傾斜面８と接合するようになっている。ただし、上台５の左右壁９ｃ、９ｄの間隔（左右方向寸法、例えば６００ｍｍ）は下台４の左右壁７ｃ、７ｄの間隔に等しいが、前後の壁９ａ，９ｂの間隔（前後方向寸法）は下台４の前後壁７ａ、７ｂの間隔よりも大きくしてある（３００ｍｍに対して４１０ｍｍ  図８）。
天板３は上台５の平面積よりも前後方向寸法、左右方向寸法共に大きい（図７）。
【００１１】
下台４に上台５が、前記傾斜面８を対向面として載置され、下台４と上台５がスライド機構１０（図３）で連結される。下台４に対して上台５が前記傾斜面８に沿ったスライド移動と移動後の位置を維持する位置固定が可能な構造とされる。図４は前記スライド機構１０を下台４と上台５の間に取り付けた状態を概略で示している。台脚２に対してスライド機構１０は透視された状態で示されている。
〔１〕スライド機構
スライド機構１０は、この実施例において、レール機構１１（１１ａ，１１ｂ）とアクチュエータ機構１２とからなる（図３）。
〔１．１〕レール機構
レール機構１１は、左右のベース金物１３ａ、１３ｂとこれらの上部に固定されたレール受け１４ａ、１４ｂ、及び左右の縦面レール１５ａ、１５ｂと横面レール１６ａ，１６ｂおよび左右の縦面スライダー１７ａ（図５），１７ｂと横面スライダー１８ａ、１８ｂを備える。
【００１２】
左のベース金物１３ａは、頑丈な鋼板製であり、幅広の基部１９ａとその上辺中央から上方へ突出させた首部２０ａを有し、その上端に左のレール受け１４ａを設けてある。
左のレール受け１４ａは縦面部２１ａと水平面部２２ａを有する断面Ｌ字形であり（図６）、縦面部２１ａの外側面は首部２０ａの外面と同じ面にあるか外側に位置し、水平面部２２ａは、首部２０ａの内側面よりも内側に張り出した状態で形成されている。
縦面部２１ａの外面には縦面スライダー１７ａが前後方向に２個間隔をあけて固定され（図５）、水平面部２２ａの下面には横面スライダー１８ａが前後方向に２個間隔をあけて固定されている。
右のベース金物１３ｂ、右のレール受け１４ｂについても配置が左右対称となるだけで同様であり、前記の説明において対応する部品の付加符号〔ａ〕を〔ｂ〕とするだけなので、詳細な説明を省略する。
【００１３】
左のベース金物１３ａは、首部２０を底板９ｅの左端縁に形成した前後方向のスリット２３ａに通して基部１９ａを下台４の左壁７ｃに固定してある（図５）。スリット２３ａは前後方向に長く、少なくとも後述の下台４に対する上台５の前後移動ストロークよりも長く形成してある。その長さは、組み付けの都合上、基部１９ａの前後寸法よりも大きくすることが多い。
右のベース金物１３ｂは、首部２０を底板９ｅの右端縁に形成した前後方向のスリット２３ｂ（図２）に通して基部１９ｂを下台４の右壁７ｄに固定してある。他は前記した左の場合と同様であり、詳細な説明を省略する。
【００１４】
レール機構１１における左の縦面レール１５ａ、左の横面レール１６ａはいずれもガイド鍔の付いたアルミ合金のガイドレールである。縦面レール１５ａは左壁９ｃの内面に前記傾斜面８と平行に取り付けられ（図４）、横面レール１６ａは上台５の底板９ｅの上面に左壁９ｃと平行に取付けられている（図６）。
右の縦面レール１５ｂ、右の横面レール１６ｂについても配置が左右対称となるだけで同様であり、前記の説明において対応する部品の付加符号〔ａ〕を〔ｂ〕とするだけなので、詳細な説明を省略する。
【００１５】
〔１．２〕アクチュエータ機構
アクチュエータ機構１２は、この実施例において、電動アクチュエータ２４と下台側取付け金物２５と上台側取付け金物２６とからなる。電動アクチュエータ２４は、電動モータ２７とロッド２８を一体に備えた市販のものであり、電動モータ２７の正逆回転によってロッド２８が前方に進出し、また、後方へ退入する。下台側取付け金物２５は電動アクチュエータ２４の後端を回動可能に取り付けるためのものであり、下部が下台４の後壁７ｂの内面に固定され、上部が上台５の底板９ｅの後端縁のほぼ中央に設けた切欠２９（図２，５）を貫通して上方に突出している。上台側取付け金物２６は上台５の前壁９ａの左右方向ほぼ中央の内面に固定され（図４）、前記ロッド２８の前端を回動可能に取り付けている。
【００１６】
〔組み付け〕（図４−図６）
上台５に対し、上台５の底板９ｅにベース金物１３ａ，１３ｂをレール受け１４ａ，１４ｂを上方に突出させた状態で取付け、縦面部２１ａ，２１ｂの外面に縦面スライダー１７ａ，１７ｂを、また、水平面部２２ａ，２２ｂの下面に横面スライダー１８ａ，１８ｂを固定しておく。
縦面スライダー１７ａ，１７ｂに縦面レール１５ａ，１５ｂをそれぞれスライド可能に係合させてこれらのレールを上台５の左右壁９ｃ，９ｄに固定する。横面スライダー１８ａ，１８ｂに横面レール１６ａ，１６ｂをそれぞれスライド可能に係合させてこれらのレールを底板９ｅの上面に固定する。
下台４の左右壁７ｃ，７ｄの内面にベース金物１３ａ，１３ｂの基部１９ａ，１９ｂを固定する。
レール受け１４ａ，１４ｂに対する縦面レール１５ａ，１５ｂ、横面レール１６ａ，１６ｂの組み付けには種々の手順がある。
例えば、縦面スライダー１７ａ，１７ｂと横面スライダー１８ａ，１８ｂはそれぞれを上台５に取り付けておいてから、上台５の前壁７ａを取り付ける前に、下台４側のレール受け１４ａ，１４ｂへこれらのレールをスライドさせながら取り付けることもできる。
【００１７】
これで上台５が下台４の上部で前記傾斜面８に沿って前後及び上下に移動可能となる。
電動アクチュエータ２４のロッド２８の進退量が下台４に対する上台５の傾斜面８に沿ったストロークである。
なお、下台４の傾斜面８に対向する上台５の対向面は、下台４の上端面に支持されている必要はなく、前記のレール機構１１によって支持されていればよい。
ついで、上台５の底板９ｅの上方において、電動アクチュエータ２４の後端を、下部を下台４の後壁７ｂの内面に固定した下台側取付け金物２５の上端部に取付け、前端を上台５の前壁９ａの内面に固定した上台側取付け金物２６に取り付ける。
最後に天板３を上台５の上面に固定する。
以上から、電動モータ２７が駆動されると、ロッド２８の進退に応じて、上台５は下台４に対し傾斜面８に沿って前後と上下方向が合わさった移動をする。
なお、電動アクチュエータ２４の電動モータ２７にはテーブル１の外部から電源が供給され、操作スイッチ３０（図１、図７）を介して入力電源の入切と極性を切り替える配線がなされている。具体的な配線は通常の仕様でよく、図示を省略している。
電動アクチュエータ２４は電動モータ２７が駆動されない場合、ロッド２８の突出量を維持するタイプのものを使用する。
【００１８】
以上の構成であって、テーブル１を上方から透視すると図７のようになり、テーブル１を移動させるために、左右のレールからなるレール機構１１と中央部のアクチュエータ機構１２とからなるスライド機構１０が装備されていることがわかる。
そして、図８〔イ〕のように、テーブル面が高い状態から、図８〔ロ〕のように、下台４に対して上台５を傾斜面８に沿って後方へ移動させることでテーブル面を低くすることができる。
【００１９】
以上は実施例であって、天板３の平面形状や台脚２の形態、あるいは下台４と上台５間における傾斜面８の角度及び上台５の移動ストロークの大きさと方向などは任意に決定することができる。
スライド機構に電動アクチュエータを用いているが、ラチェット機構を備えた手動ハンドルによるものであってもよい。
天板３上で使用する電気器具（調理器具や事務機器）のための電源用タップを、テーブル１内へ外部から供給される電源から分岐させ、天板３あるいは天板３と共に移動する部分（上台５）に設けておくと良い。
これにより、前記電気器具の電源をテーブル１の外に求めて邪魔な配線を引き回わす必要がなく、また、天板３あるいは上台５に設けた前記の電源用タップは、天板３を移動するとき電気器具と共に移動するので、天板３の移動によって電気器具を配線で引きずるおそれがなく、天板の移動のたびに配線を調整する必要がない。
上台５の底板９ｅは設けない場合もある。
【００２０】
１    テーブル
２    台脚
３    天板
４    下台
５    上台
６    基板
７ａ  前壁（下台の）
７ｂ  後壁
７ｃ  左壁
７ｄ  右壁
８    傾斜面
９ａ  前壁（上台の）
９ｂ  後壁
９ｃ  左壁
９ｄ  右壁
９ｅ  底板
１０  スライド機構
１１（１１ａ、１１ｂ）  レール機構
１２  アクチュエータ機構
１３ａ  ベース金物（左）
１３ｂ  ベース金物（右）
１４ａ  レール受け（左）
１４ｂ  レール受け（右）
１５ａ  縦面レール（左）
１５ｂ  縦面レール（右）
１６ａ  横面レール（左）
１６ｂ  横面レール（右）
１７ａ  縦面スライダー（左）
１７ｂ  縦面スライダー（右）
１８ａ  横面スライダー（左）
１８ｂ  横面スライダー（右）
１９ａ  基部（左）
１９ｂ  基部（右）
２０    首部
２１ａ  縦面部（左）
２１ｂ  縦面部（右）
２２ａ  水平面部（左）
２２ｂ  水平面部（右）
２３ａ  スリット（左）
２３ｂ  スリット（右）
２４  電動アクチュエータ
２５  下台側取付け金物
２６  上台側取付け金物
２７  電動モータ
２８  ロッド
２９  切欠
３０  操作スイッチ
【図１】
2019195415.tif 000003
【図２】
2019195415.tif 000004
【図３】
2019195415.tif 000005
【図４】
2019195415.tif 000006
【図５】
2019195415.tif 000007
【図６】
2019195415.tif 000008
【図７】
2019195415.tif 000009
【図８】
2019195415.tif 000010